(57)【特許請求の範囲】
【請求項１】
夫々プラスチックにより一体に成形された床面パネルと背面パネルと左側面パネルと右側面パネルと前面ドアパネルと天井パネルとから組み立てられるプラスチック製ロッカーであって、床面パネルは上面に後縁と右縁と左縁に沿って嵌合溝を形成し該嵌合溝の内側に止孔を形成するとともに前縁右側部上面に下部軸受孔を形成し、背面パネルは下縁に下向突条と内向リブを形成し両側縁に止孔を形成するとともに上縁に膨部と止孔を形成し、左側面パネルは下縁に下向突条と内向リブを形成し後縁に内向リブを形成し前縁に係合部を形成するとともに上縁に膨部と止孔を形成し、右側面パネルは下縁に下向突条と内向リブを形成し後縁に内向リブを形成し前縁に軸受片を形成するとともに上縁に膨部と止孔を形成し、前面ドアパネルは右側縁に支軸を形成するとともに左側縁に取手を設け、天井パネルは角帽状に形成し下面に後縁と右縁と左縁に沿って下向リブを形成するとともに前縁右側部下面に上部軸受孔を形成し、前記嵌合溝に前記下向突条を嵌合し前記内向リブを前記止孔にビス止することで床面パネル上に背面パネルと左側面パネルと右側面パネルを固着し、前記軸受孔と前記軸受片に支軸を嵌着することで前面ドアパネルを開閉自在に取着し、前記膨部を下向リブの外側に嵌合し該下向リブを前記止孔にビス止するとともに前記上部軸受孔に支軸を嵌着することで天井パネルを背面パネルと左側面パネルと右側面パネルに固着してなることを特徴としたプラスチック製ロッカー。
【請求項２】
前面ドアパネルは平面〔状に形成されたものである請求項１に記載のプラスチック製ロッカー。
【請求項３】
前面ドアパネルの下面に開閉時に床面パネルの前縁部上面に摺接するテーパ状突起を形成した請求項１または２に記載のプラスチック製ロッカー。
【請求項４】
前面ドアパネルの上面にその周縁部を囲う雨水止用の突提を形成した請求項１〜３のいずれかに記載のプラスチック製ロッカー。
【請求項５】
前面ドアパネルの左側縁に開口を形成するとともに該開口の内側縁に軸受部を一体に形成し、プラスチックにより鉤状に一体成形された取手を該軸受部に回転自在に取着するとともに、該取手に付設したバネの弾性により該取手の内端部が前記係合部に係合した状態に保持されるようにした請求項１〜４のいずれかに記載のプラスチック製ロッカー。
【発明の詳細な説明】
【０００１】
【発明の属する技術分野】
本発明は主要部品をプラスチックで成形した物品収納用ロッカーの構造に関するものである。
【０００２】
【従来の技術】
従来から一般に物置やロッカーはスチール製のものが周知であるが、同製品は屋外に置かれると錆び易い欠点がある。また、特開平８−１３５２２２号，実用新案登録第２５６２５１２号等の公報には、スライドシャッターを有したホームロッカー，組立式物置が開示されているが、同構造のロッカーは、概して製造コストが高くなる欠点があるほか、風雨にさらされて多少とも経年変形したりレールに塵埃が付くとシャッターの滑りが悪くなるという問題がある。
【０００３】
【発明が解決しようとする課題】
ところで、この種のロッカーをプラスチック製とした場合には、組立て状態で充分な強度を有すること、部品点数が少なく成形，組立てが容易であって製造コストが廉価に抑えられること、機密性があり雨水が内部に侵入するようなことがないこと、経年変化によって多少の変形してもドアの開閉がスムースであること、必要に応じて施錠でき外部から簡単には開けられないこと、軽量であること、等が求められるが、従来の製品ではこれらを満たすものがなかった。
そこで本発明はこれらの要望を満たし得るプラスチック製ロッカーを提供しようとするものである。
【０００４】
【課題を解決するための手段】
そのために本発明のプラスチック製ロッカーは、夫々プラスチックにより一体に成形された床面パネルと背面パネルと左側面パネルと右側面パネルと前面ドアパネルと天井パネルとから組み立てられるプラスチック製ロッカーであって、床面パネルは上面に後縁と右縁と左縁に沿って嵌合溝を形成し該嵌合溝の内側に止孔を形成するとともに前縁右側部上面に下部軸受孔を形成し、背面パネルは下縁に下向突条と内向リブを形成し両側縁に止孔を形成するとともに上縁に膨部と止孔を形成し、左側面パネルは下縁に下向突条と内向リブを形成し後縁に内向リブを形成し前縁に係合部を形成するとともに上縁に膨部と止孔を形成し、右側面パネルは下縁に下向突条と内向リブを形成し後縁に内向リブを形成し前縁に軸受片を形成するとともに上縁に膨部と止孔を形成し、前面ドアパネルは右側縁に支軸を形成するとともに左側縁に取手を設け、天井パネルは角帽状に形成し下面に後縁と右縁と左縁に沿って下向リブを形成するとともに前縁右側部下面に上部軸受孔を形成し、前記嵌合溝に前記下向突条を嵌合し前記内向リブを前記止孔にビス止することで床面パネル上に背面パネルと左側面パネルと右側面パネルを固着し、前記軸受孔と前記軸受片に支軸を嵌着することで前面ドアパネルを開閉自在に取着し、前記膨部を下向リブの外側に嵌合し該下向リブを前記止孔にビス止するとともに前記上部軸受孔に支軸を嵌着することで天井パネルを背面パネルと左側面パネルと右側面パネルに固着してなることを特徴とする。
また本発明は上記プラスチック製ロッカーにおいて、前面ドアパネルは平面〔状に形成されたものであることを特徴とする。
また本発明は上記プラスチック製ロッカーにおいて、前面ドアパネルの下面に開閉時に床面パネルの前縁部上面に摺接するテーパ状突起を形成したことを特徴とする。
また本発明は上記プラスチック製ロッカーにおいて、前面ドアパネルの上面にその周縁部を囲う雨水止用の突提を形成したことを特徴とする。
また本発明は上記プラスチック製ロッカーにおいて、前面ドアパネルの左側縁に開口を形成するとともに該開口の内側縁に軸受部を一体に形成し、プラスチックにより鉤状に一体成形された取手を該軸受部に回転自在に取着するとともに、該取手に付設したバネの弾性により該取手の内端部が前記係合部に係合した状態に保持されるようにしたことを特徴とする。
【０００５】
【発明の実施の形態】
次に図面に従い本発明の実施の形態を説明する。図１は本発明に係るプラスチック製ロッカーの分解斜視図である。本発明のロッカーは夫々プラスチックにより一体に成形された床面パネル１００と背面パネル２００と左側面パネル３００と右側面パネル４００と前面ドアパネル５００と天井パネル６００とから組み立てられる。図２に示したように床面パネル１００は平面方形状で、上面に滑り止めのためのタイル目地状凹凸が形成され、後縁と右縁と左縁に沿って一連の嵌合溝１０１を平面略コ形に形成し、該嵌合溝の内側に複数の止孔１０２を形成するとともに、前縁右側部上面に下部軸受孔１０３を形成している。該床面パネル１０の四隅上部は下部１０５を残して４５度に切り欠かれ、該下部にオプションでアンカーボルトを差し込むために通孔１０６が開設されている。また、図１３，図１９に示されるように該床面パネル１０の下面には補強リブ１０７が一体に形成されるとともに、安定性を増すための重りとなる鉄板１０８がビス１０９によって止着される。なお、１０４は該嵌合溝１１の底に開設された水抜孔である。また、床面パネル１００の上面前縁は傾斜面１１０に面取りされている。
【０００６】
背面パネル２００は、図３，図４にも示したように補強のために折板状に形成することで外面に複数の縦溝２０１を形成し、内面に複数の補強リブ２０２を形成し、両側縁には前向４５度屈折状なる縁片２０３を形成することで平面〔状に形成し、該縁片の内側に該縁片に沿って縁壁２０４を形成し、該縁片と縁壁の間に複数のボスリブ２０５を架設して止孔２０６を形成するとともに中間高部に位置決リブ２０７を架設している。なお、図１３に示されるようにボスリブ２０５の一端部に上下方向に一連の切欠２１３が形成される。また、背面パネル２００の下縁に下向突条２０８を平面〔形に一連に形成するとともに、内向リブ２０９を形成し該内向リブに複数の貫通孔２１０を開設する。また、背面パネル２００の上縁には膨部２１１を平面〔形に一連に形成するとともに該膨部の内面に複数のボスリブ２１２を形成し止孔２１３を形成する。なお、背面パネル２００の両側縁上面の三角状部分２１４には雨水等の侵入を防ぐための突提２１５が形成される。
【０００７】
左側面パネル３００は、図５，図６にも示したように背面パネル２００と同高に縦長額縁状に形成され、補強のために折板状に形成することで外面に複数の縦溝３０１が形成され、内面に複数の補強リブ３０２が形成される。左側面パネル３００の下縁には下向突条３０３と内向リブ３０４を形成し、該内向リブには複数の貫通孔３０５を開設する。また該左側面パネル３００の後縁に形成された内向リブ３０６に複数の貫通孔３０７を開設するとともに、該内向リブ３０６の外面に嵌合リブ３０８を形成し、該内向リブ３０６の中間高部の外面にＶ字形の切込３０９が形成されたガイド片３１０を突設する。また、左側面パネル３００の上縁に膨部３１１を形成し該膨部に隣接する突リブ３１２を形成し止孔３１３を形成する。また、左側面パネル３００の前縁に中空状の係合部３１４を形成する。なお、３１５は左側面パネル３００の前縁上面に雨水等の侵入を防ぐために延設された突提である。
【０００８】
また、図７に示したように、右側面パネル４００についても背面パネル２００と同高の縦長額縁状で補強のために折板状に形成され、外面に複数の縦溝４０１が形成され、内面に複数の補強リブ４０２が形成される。そして前記左側面パネル３００と同様に下縁に下向突条４０３と内向リブ４０４が形成され、該内向リブに複数の貫通孔４０５を開設する。また該右側面パネル４００の後縁に形成された内向リブ４０６に複数の貫通孔４０７を開設するとともに、該内向リブ４０６の外面に嵌合リブ４０８を形成し、該内向リブ４０６の中間高部の外面にＶ字形の切込４０９が形成されたガイド片４１０を突設する。また、右側面パネル４００の上縁に膨部４１１を形成し該膨部に隣接する突リブ４１２を形成し止孔４１３を形成する。また、右側面パネル４００の前縁に軸受片４１４，４１５を形成するとともに延片４１６を形成する。なお、４１７は右側面パネル４００の前縁上面に雨水等の侵入を防ぐために延設された突提である。
【０００９】
前面ドアパネル５００は、前記背面パネル２００と同様平面〔状に形成され、補強と意匠上の目的から表面の上部５０１と下部５０３が前方に大径の円弧面状に膨らんだ形状に形成され、中部５０２はこれよりさらに大径の円弧面状に膨らんだ形状に形成され、図８に示したように内面には斜格子状に補強リブ５０４が形成されているほか、上記上部５０１と中部５０２と下部５０３との境に相当する内面に横リブ５０５が形成されている。また、図１９にも示したように前面ドアパネル５００の下面にテーパ状突起５０６を形成し、図２０に示したように上面にはその周縁部を囲う雨水止用の突提５０７を形成し、該突提の一部を該ドアパネルの前面側にて切除して流出口５０８を形成している。また、前面ドアパネル５００の右側縁に下部支軸５０９と上部支軸５１０と中間支軸５１１，５１２を形成する。また、図９に示したように前面ドアパネル５００の左側縁に開口５１３を形成し、該開口の内側上下縁に一対の軸受部５１６を一体に形成している。
【００１０】
５５０はプラスチックにより鉤状に一体成形された取手で、該取手の上下部に突設された小軸５５１を図１０に示したように前記軸受部５１６に遊嵌することで該取手を開口５１３内に回転自在に取着するとともに、該取手にバネ５５２を付設し、該バネの弾性により該取手が閉止方向に付勢され、図１８に示したように、該取手の鉤状部５６２が前記左側面パネル３００の係合部３１４中に係合し得るようにしている。なお、開口５１２の内周縁には雨水の侵入を防ぐために突提５５３が形成されている。また、５６０は前面ドアパネル５００の表面に設けられた鍵孔、５６１は該鍵孔に所定のキーを差し込むことにより該前面ドアパネル５００の内面にて回転し得るように設けられたロック片である。
【００１１】
天井パネル６００は、水溜りを防ぐために上面が大径の円弧面状に膨らんだ角帽状に形成され、図１１，図１３に示されるように下面には格子状の補強リブ６０４が形成されるとともに、後縁と右縁と左縁に沿って下向リブ６０１を形成し、該下向リブに貫通孔６０２を開設し、さらに図１７に示されるように前縁右側部下面に上部軸受孔６０３を形成している。
【００１２】
このロッカーを組み立てるに際しては、先ず上記背面パネル２００の両側縁に形成された位置決リブ２０７に左側面パネル３００と右側面パネル４００の上記Ｖ字形の切込３０９，４０９を合致させることで該各パネルの嵌合リブ３０８および嵌合リブ４０８を夫々上記切欠２１３に遊嵌し、床面パネル１００の嵌合溝１０１に下向突条２０８，３０３，４０３を嵌合し、下部軸受孔１０３に前面ドアパネル５００の下部支軸５０８を遊嵌し、右側面パネル４００の軸受片４１４，４１５に中間支軸５１０，５１１を遊嵌し、天井パネル６００を該各パネルの膨部２１１，３１１，４１１上に被せ、上部支軸５０９を上部軸受孔６０２に遊嵌する。
【００１３】
そして該ロッカーの内側にて貫通孔２１０，３０５，４０５に通したビス１を止孔１０２に螺合して内向リブ２０９，３０４，４０５を夫々床面パネル１００の上面に固着し、貫通孔３０７，４０７に通したビス２を止孔２０６に螺合して内向リブ３０６，４０６を夫々背面パネル２００の両側縁に固着し、貫通孔６０２に通したビス３を止孔２１３，３１３，４１３に螺合して下向リブ６０１を夫々背面パネル２００，左側面パネル３００，右側面パネル４００の上縁部に固着する。なお、これらビス１，２，３の締付けはすべてロッカーの内側にて行われる。図１２〜図１７にこうして組み立てられたプラスチック製ロッカーを示す。
【００１４】
このように組み立てられたプラスチック製ロッカーは、背面パネル２００，左側面パネル３００，右側面パネル４００が折板状に形成されたものであるので、少ないプラスチック資材にて強固にしかも軽量に形成される。しかも各縦溝２０１，３０１，４０１の上下端部ｔは図５に示されるように傾斜面状にて表面と連なり、かつその内面には図３に示されるように縦リブｕが形成されることにより折板状に形成と相俟って強度が確保されるとともに埃等が溜まり難く洗浄も容易となる。
また、該各パネルどうしを互いに嵌合させると同時にリブをビス止することにより強固にして高機密性に接合され、全体を堅牢に構成することができるとともに、屋外に置いても雨水や洗浄水等が接合部から侵入するおそれがない。
【００１５】
前面ドアパネル５００は、プラスチック製の取手５５０を引くことにより鉤状部５６２と係合部３１４との係合が外れ前方に開けられる。その際、該前面ドアパネル５００は平面〔状に形成されていることから、このロッカーが壁際に設置されたとして壁面に衝突することなく開閉できる。また該前面ドアパネル５００は、蝶番等の金具を使用することなく一体に形成された支軸５０９，５１０，５１１，５１２を支点として前方に開かれるものであるので、部品点数が少なく組み立ての手間も掛らず、使用後に廃棄物として処理する際にも殆どがプラスチック製であるので分別が容易でリサイクルし易い利点がある。
【００１６】
また、前面ドアパネル５００の下面に形成されたテーパ状突起５０６は、該前面ドアパネル５００を閉じる際に床面パネル１００の前縁部上面を滑ることから該前面ドアパネル５００が使用によって重力で下傾したとしても開閉を常にスムースに行うことができる。従って閉止時に前面ドアパネル５００の荷重の大半が床面パネル１００に掛るようにしてもテーパ状突起５０６の滑りによって開閉を常にスムースに行うことができる。
【００１７】
また該前面ドアパネル５００の上面に突提５０７が形成されていることから、天井パネル６００との隙間から雨水が侵入したとしても内部に流れることなく流出口５０８から前面に排出される。そして鍵孔５６０に所定のキーを差し込むんでロック片５６１を係合部３１４に係合することにより施錠できるとともに、ビス１，２，３の締付けはすべてロッカーの内側にて行われることから、悪戯で分解され盗難に遭うようなおそれがない。
【００１８】
一方、図２１は前記通孔１０６に差し込んだアンカーボルト４によってこのロッカーをフロワに固定するとともに、プラスチックによって略三角形状に成形されたコーナー部材５を該アンカーボルト４の頭部に止着し得るようにしたもので、図２２にその断面図を示したように、コーナー部材５の内面に一体に形成した一対の弾性片６により該アンカーボルト４の頭部を挟着させることにより止着される。また、図２３はこのロッカーを２台以上並設したときにその両アンカーボルト４が１つのコーナー部材７を止着することで図２４に示したように隠されるようにしたものである。さらに図２５はこのロッカーを上下に積み上げたときに上部のロッカーに下部のロッカーの天井パネル外側面に被るような縦幅厚のコーナー部材８を止着することで倒壊のおそれなく積み上げられるようにしたものである。
【００１９】
【発明の効果】
このように本発明のプラスチック製ロッカーは、床面パネルと背面パネルと左側面パネルと右側面パネルと天井パネルとを互いに嵌合し内側からビス止するとともに前面ドアパネルの支軸を軸受孔に嵌着することにより、少ない部品点数で簡単に組み立てられ、製造コストが廉価に抑えられ、殆どの部品がプラスチック成形されたものであるので軽量である軽量であると同時にリサイクルも容易となる。しかも堅牢に組み立てられ、機密性があるので内容物を雨水や盗難から保護でき使い勝手がよいなど顕著な効果がある。
【図面の簡単な説明】
【図１】本発明の実施形態を示すプラスチック製ロッカーの分解斜視図。
【図２】本発明の実施形態を示すプラスチック製ロッカーの床面パネルの斜視図。
【図３】本発明の実施形態を示すプラスチック製ロッカーの背面パネルの内面の斜視図。
【図４】本発明の実施形態を示すプラスチック製ロッカーの背面パネルの外面の正面図。
【図５】本発明の実施形態を示すプラスチック製ロッカーの左側面パネルの外面の斜視図。
【図６】本発明の実施形態を示すプラスチック製ロッカーの左側面パネルの内面の斜視図。
【図７】本発明の実施形態を示すプラスチック製ロッカーの右側面パネルの内面の斜視図。
【図８】本発明の実施形態を示すプラスチック製ロッカーの前面ドアパネルの内面の斜視図。
【図９】本発明の実施形態を示すプラスチック製ロッカーの前面ドアパネルの取手部の分解斜視図。
【図１０】本発明の実施形態を示すプラスチック製ロッカーの前面ドアパネルの取手部の拡大斜視図。
【図１１】本発明の実施形態を示すプラスチック製ロッカーの天井パネルの下面図。
【図１２】本発明の実施形態を示すプラスチック製ロッカーの外観斜視図。
【図１３】本発明の実施形態を示すプラスチック製ロッカーの縦断面図。
【図１４】図１３のＡ−Ａ線断面矢視図。
【図１５】図１３のＢ−Ｂ線断面矢視図。
【図１６】図１３のＣ−Ｃ線断面矢視図。
【図１７】図１５のＤ−Ｄ線断面矢視図。
【図１８】本発明の実施形態を示す取手部の水平断面図。
【図１９】本発明の実施形態を示す図１３の部分拡大図。
【図２０】本発明の実施形態を示す右側面パネルと前面ドアパネルの上部の斜視図。
【図２１】本発明に係るプラスチック製ロッカーのコーナー部材を示した斜視図。
【図２２】本発明に係るプラスチック製ロッカーのコーナー部材取付部分の水平断面図。
【図２３】本発明に係るプラスチック製ロッカーのコーナー部材を示した斜視図。
【図２４】本発明に係るプラスチック製ロッカーのコーナー部材取付部分の水平断面図。
【図２５】本発明に係るプラスチック製ロッカーのコーナー部材を示した斜視図。
【符号の説明】
１，２，３          ビス
１００              床面パネル
１０１              嵌合溝
１０２              止孔
１０３              下部軸受孔
２００              背面パネル
２０６              止孔
２０８              下向突条
２０９              内向リブ
２１１              膨部
２１３              止孔
３００              左側面パネル
３０３              下向突条
３０４              内向リブ
３０６              内向リブ
３１１              膨部
３１３              止孔
３１４              係合部
４００              右側面パネル
４０３              下向突条
４０４              内向リブ
４０６              内向リブ
４１１              膨部
４１３              止孔
４１４，４１５      軸受片
５００              前面ドアパネル
５０６              テーパ状突起
５０９              下部支軸
５１０              上部支軸
５１１，５１２      中間支軸
３１３              開口
５５０              取手
５５１              小軸
５５２              バネ
５６２              鉤状部
６００              天井パネル
６０１              下向リブ
６０３              上部軸受孔
【図１】
0003901510.tif 000002
【図２】
0003901510.tif 000003
【図３】
0003901510.tif 000004
【図４】
0003901510.tif 000005
【図５】
0003901510.tif 000006
【図６】
0003901510.tif 000007
【図７】
0003901510.tif 000008
【図８】
0003901510.tif 000009
【図９】
0003901510.tif 000010
【図１０】
0003901510.tif 000011
【図１１】
0003901510.tif 000012
【図１２】
0003901510.tif 000013
【図１３】
0003901510.tif 000014
【図１４】
0003901510.tif 000015
【図１５】
0003901510.tif 000016
【図１６】
0003901510.tif 000017
【図１７】
0003901510.tif 000018
【図１８】
0003901510.tif 000019
【図１９】
0003901510.tif 000020
【図２０】
0003901510.tif 000021
【図２１】
0003901510.tif 000022
【図２２】
0003901510.tif 000023
【図２３】
0003901510.tif 000024
【図２４】
0003901510.tif 000025
【図２５】
0003901510.tif 000026